(57)【特許請求の範囲】
【請求項１】
筐体と、
前記筐体内に設けられる回路基板と、
前記回路基板上に設けられるとともに、前記筐体から露出する開口部を有するコネクタと、
前記コネクタに着脱可能に設けられるＬＥＤユニットとを備え、
前記コネクタは、
前記ＬＥＤユニットに設けられた前記ＬＥＤが差し込まれる空洞部と、
前記ＬＥＤユニットの保持部材が支持される支持部と、
前記開口部と反対側に設けられるソケットとを有し、
前記ＬＥＤユニットは、
前記ＬＥＤを保持する保持部材と、
前記ソケットと電気的に接続されるピンと
を有することを特徴とする電子機器。
【請求項２】
前記ＬＥＤユニットは、前記ソケットに圧入されるピンが前記保持部材の前面に設けられることを特徴とする請求項１記載の電子機器。
【請求項３】
前記ＬＥＤユニットは、前記ソケットに接触されるピンが前記保持部材の前面に設けられることを特徴とする請求項１記載の電子機器。
【発明の詳細な説明】
【技術分野】
【０００１】
上記目的を達成するために本発明に係る電子機器は、筐体と、前記筐体内に設けられる回路基板と、前記回路基板上に設けられるとともに、前記筐体から露出する開口部を有するコネクタと、前記コネクタに着脱可能に設けられるＬＥＤユニットとを備え、前記コネクタは、前記ＬＥＤユニットに設けられた前記ＬＥＤが差し込まれる空洞部と、前記ＬＥＤユニットの保持部材が支持される支持部と、前記開口部と反対側に設けられるソケットとを有し、前記ＬＥＤユニットは、前記ＬＥＤを保持する保持部材と、前記ソケットと電気的に接続されるピンとを有することを特徴とする。
【背景技術】
【０００２】
現在ノートＰＣに採用されているＬＡＮケーブルを接続するためのモジュラージャックコネクタは、ＬＡＮ接続状況を視覚的に確認するために、ＬＥＤ内蔵のものが広く普及している。
【０００３】
一般的にモジュラージャックコネクタのＬＥＤ部の耐熱温度はその他の部分に比べて低いため、モジュラージャックコネクタをリフロー実装するとモジュラージャックコネクタに内蔵されたＬＥＤが不点灯となる不具合が発生しうる。このような不具合が発生しないためには、リフロー実装を行った後に、個別にモジュラージャックコネクタを基板に半田付けする必要がある。また、ＬＥＤが不点灯となった場合は、モジュラージャックコネクタ全体を基板から除去し新たなモジュラージャックコネクタを半田付けする必要があるため、修理に手間がかかってしまうという問題があった。
【０００４】
特許文献１には、回路基板に取り付けるためのモジュラージャックハウジングとは個別のＬＥＤハウジングが取り付けられるコネクタ組立体が開示されている。ＬＥＤを備えたＬＥＤハウジングがモジュラージャックハウジングに取り付けられ、個別のＬＥＤモジュールをモジュラージャックに追加する構造となっている。
【特許文献１】特開２０００−３０８１１号公報
【発明の開示】
【発明が解決しようとする課題】
【０００５】
しかし、上記の方式の場合、ＬＥＤハウジングの導体の足がプリント回路板に取り付けられるため、ＬＥＤハウジングの着脱が可能なのはコネクタ製造時のみであり、コネクタがプリント回路板に実装された後にはＬＥＤハウジングの着脱は不可能であるという問題がある。そのため、ＬＥＤが不点灯となった場合にＬＥＤのみを交換することができず、修理のためにはコネクタ全体を基板から除去する必要が生じてしまう。
【０００６】
そこで本発明の目的は、ＬＥＤ不点灯の不具合を防止するとともに、プリント回路板に実装された後であってもより簡単に修理することが可能なコネクタを備えた電子機器を提供することにある。
【課題を解決するための手段】
【０００７】
上記目的を達成するために本発明に係る電子機器は、筐体と前記筐体内に設けられる回路基板と、前記回路基板上に設けられるとともに、前記筐体から露出する開口部を有するコネクタと、前記コネクタに着脱可能に設けられるＬＥＤユニットと、を備えることを特徴とする。
【発明の効果】
【０００８】
本発明によれば、ＬＥＤ不点灯の不具合を防止するとともに、プリント回路板に実装された後であってもより簡単に修理することが可能なコネクタを備えた電子機器を提供することができる。
【発明を実施するための最良の形態】
【０００９】
以下本発明に係る実施の形態を、図面を参照して説明する。
【００１０】
図１は本発明の実施形態に係る電子機器の外観を示す斜視図である。図２は本発明の実施形態に係る電子機器のコネクタ付近を示す断面図である。
【００１１】
電子機器１は、本体ユニット２とディスプレイユニット３とを備えている。本体ユニット２は、合成樹脂製であり、その内面にメッキを施すことで導電性が付与されている。あるいは本体ユニット２はマグネシウム等の金属で形成されていても良い。本体ユニット２は、底壁２ａ、上壁２ｂ、左右の側壁２ｃおよび後壁２ｄを有する偏平な箱状をなしている。上壁２ｂは、キーボード５を支持している。
【００１２】
さらに、本体ユニット２は、底壁２ａを有するベース６と、上壁２ｂを有するトップカバー７とに分割されている。トップカバー７は、ベース６を上方から覆うとともに、このベース６に取り外し可能に支持されている。トップカバー７の上壁２ｂの後端部に、上向きに張り出す膨出部９が形成されている。膨出部９は、キーボード５の背後において本体ユニット２の幅方向に延びている。膨出部９は、上端壁１０を有している。上端壁１０は、本体ユニット２の後壁２ｄの上端に連続するとともに、本体ユニット２の後方に進むに従い僅かに下向きに傾斜している。さらに、上端壁１０と後壁２ｄとで規定される角部１１は、円弧状に湾曲している。
【００１３】
図２に示すように、本体ユニット２は、プリント回路板１３を収容している。プリント回路板１３は、ベース６の底壁２ａに支持されているとともに、その後端部が膨出部９の下方に位置している。
【００１４】
プリント回路板１３の後端部には、ＬＡＮコネクタ２０、ＵＳＢコネクタ４０、ＲＧＢコネクタ５０など複数のコネクタが実装されている。図１に示すように、複数のコネクタは、本体ユニット２の幅方向に間隔を存して並んでいる。それぞれのコネクタは、膨出部９の下方に位置するとともに、後壁２ｄに開けた複数の開口部１４を通じて本体ユニット２の後方に露出している。
【００１５】
ＬＡＮコネクタ２０は、その外周面が金属製のケース２１で覆われている。ケース２１は、平坦な上面２１ａを有している。ケース２１の上面２１ａは、略水平であるとともに、膨出部９の上端壁１０と向かい合っている。
【００１６】
図１に示すように、上記ディスプレイユニット３は、本体ユニット２と略同じ大きさの偏平な箱状をなしており、図示しない液晶表示パネルを収容している。ディスプレイユニット３は、一対の脚部１５ａ，１５ｂを有している。脚部１５ａ，１５ｂは、図示しないヒンジを介して本体ユニット２の後端部に支持されている。そのため、ディスプレイユニット３は、キーボード６を覆うように本体ユニット２の上に横たわる閉じ位置と、キーボード６を露出させるように本体ユニット２から起立する開き位置との間で回動可能となっている。
【００１７】
次に図３乃至図６を用いて本発明の実施形態に係る電子機器のコネクタについて説明する。  図３は本発明の実施形態に係る電子機器のコネクタの前面を示す斜視図である。図４は本発明の実施形態に係る電子機器のコネクタの背面を示す斜視図である。図５は本発明の実施形態に係るコネクタと保持部材とを分解した状態を示す図である。図６は本発明の実施形態に係るコネクタと保持部材とを嵌合した状態を示す図である。
【００１８】
プリント回路板１３には種々の電子部品や上述のようなコネクタが実装されるが、図３および図４では主にＬＡＮコネクタ２０を図示し、他の電子部品については図示を省略する。また、図５および図６ではプリント回路板１３を省略しＬＡＮコネクタおよびＬＥＤユニットのみを図示している。
【００１９】
ＬＡＮコネクタ２０の本体２２は、前面２２ａ、上面２２ｂ、側面２２ｃ、背面２２ｄ、および底面２２ｅと、を有する。  ＬＡＮコネクタ２０は、さらに内壁２２ｆおよび上壁２２ｇとを有し、内壁２２ｆと上壁２２ｇはＬＡＮケーブルの形状に適合した開口部２３を形成するように規定される。ＬＡＮコネクタ２０の開口部２３は、本体ユニット２の開口部１４を通って、外部からＬＡＮケーブルを差し込むことができるように設けられる。また、ＬＡＮコネクタ２０の底面２２ｅには、ＬＡＮコネクタ２０を差し込んだ時に、ＬＡＮケーブルの端子と接触するように複数の端子２４が整列して設けられている。
【００２０】
ＬＡＮコネクタ２０は空洞部２２ｈを有し、空洞部２２ｈにはＬＥＤユニット２５のＬＥＤ２６が差し込まれる。空洞部２２ｈはＬＥＤユニット２５の備えるＬＥＤ２６の数に合わせて設けられる。ＬＥＤユニット２５は、２つのＬＥＤ２６と、このＬＥＤ２６を保持するための保持部材２７とを有する。保持部材２７は例えばプラスチックなどによって成型することが可能である。ＬＥＤユニット２５はＬＡＮコネクタ２０に着脱可能となっており、ＬＥＤコネクタ２０の背面２２ｄに設けられた差込口２２ｉからＬＥＤユニット２５を差し込むことが可能である。
【００２１】
ＬＥＤユニット２５がＬＡＮコネクタ２０に差し込まれた時に、少なくともＬＥＤ２６の前面２６ａがＬＥＤコネクタ２０の開口部２３がある前面２２ａ側に露出するようになっている。ユーザはＬＥＤコネクタ２０の前面２２ａに露出したＬＥＤ２６の点灯状態を見ることで、電子機器１の通信状況を認識することもできる。ＬＥＤコネクタ２０の背面２２ｄには、ＬＥＤユニット２５とＬＥＤコネクタ２０とを導通させるためのソケット２８が設けられる。ＬＥＤユニット２６のピン２９がソケット２８に圧入されてピン２９とソケット２８とが嵌合することで、ＬＥＤユニット２６との電気的接続が確保されＬＥＤ２６を光らせることが可能となる。ソケット２８と嵌合するピン２９はＬＥＤユニット２５の保持部材２７に設けられる。ピン２９は端部２９ａを有し、この端部２９ａがＬＥＤユニット２５の保持部材２７の前面２７ａに露出するように設けられる。
【００２２】
ＬＥＤユニット２５がＬＡＮコネクタ２０に差し込まれた時に、ＬＥＤユニット２５がＬＡＮコネクタ２０に固定されるように、保持部材２７の大きさに合った支持部２２ｊがＬＡＮコネクタ２０の背面２２ｄに設けられる。
【００２３】
上記の説明のように、ＬＥＤ付きのコネクタにおいて、ＬＥＤユニット２５を別部品とすることにより、ＬＥＤが点灯しない等の不具合が起こった時に、ＬＥＤユニット２５を取り外して交換することにより、簡単にＬＥＤコネクタを修理することができる。また、製造時においても熱に弱いＬＥＤを個別に後で取り付けることにより、コネクタについてはリフロー実装によって実装することが可能となる。また、作業者による手付け半田工程、及びリペア時の大幅な時間短縮が望め、生産性の向上に繋がる。本実施形態によれば、ＬＥＤ不点灯の不具合を防止するとともに、プリント回路板に実装された後であってもより簡単に修理することが可能なコネクタを備えた電子機器を提供することができる。
【００２４】
図７は本発明の他の実施形態に係るコネクタと保持部材を分解した図である。図８は本発明の他の実施形態に係るコネクタと保持部材とを嵌合した図である。図５および図６に示すコネクタと保持部材と、図７および図８に示すコネクタと保持部材とを比較すると、それぞれＬＥＤユニットのピンの形状とＬＡＮコネクタのソケットの形状が異なる。そのため、それ以外の構成要素については同一の符号を付して重複した説明を省略する。
【００２５】
ＬＥＤコネクタ２０の背面２２ｄには、ＬＥＤユニット２５とＬＥＤコネクタ２０とを導通させるためのソケット３２が設けられ、ＬＥＤユニット２６のピン３１とソケット３２とが接触することで、ＬＥＤユニット２６との電気的接続が確保されＬＥＤ２６を光らせることが可能となる。ピン３１は、くの字状に折り曲がった端部３１ａを有し、この端部３１ａがソケット３２と接触する。ピン３１はＬＥＤユニット２５の保持部材２７の前面２７ａに端部３１ａが露出するように設けられる。
【００２６】
ＬＥＤユニットのピンおよびソケットの形状を図７および図８に示すようなものとしても、上記の場合と同様に、ＬＥＤが点灯しない等の不具合が起こった時に、ＬＥＤユニット２５を取り外して交換することにより、簡単にＬＥＤコネクタを修理することができる。また、製造時においても熱に弱いＬＥＤを個別に後で取り付けることにより、コネクタについてはリフロー実装によって実装することが可能となる。
【００２７】
上記に説明した実施形態のいずれにおいても、リフロー実装によってコネクタを実装した後にＬＥＤを取り付けることが可能となり、リフロー実装できる部品が増え、工程数を減らすことができ、コスト、歩留まり等の改善が見込まれる。またいずれにおいても、ＬＥＤとコネクタとの接点を半田付けする必要がないため、修理をより簡易化することができる。
【００２８】
以上の説明のように、本発明の各実施形態によれば、ＬＥＤ不点灯の不具合を防止するとともに、プリント回路板に実装された後であってもより簡単に修理することが可能なコネクタを備えた電子機器を提供することができる。
【００２９】
本発明ではその主旨を逸脱しない範囲であれば、上記の実施形態に限定されるものではなく種々の変形が可能である。
【図面の簡単な説明】
【００３０】
【図１】本発明の実施形態に係る電子機器の外観を示す斜視図。
【図２】本発明の実施形態に係る電子機器のコネクタ付近を示す断面図。
【図３】本発明の実施形態に係る電子機器のコネクタの前面を示す斜視図。
【図４】本発明の実施形態に係る電子機器のコネクタの背面を示す斜視図。
【図５】本発明の実施形態に係るコネクタと保持部材とを分解した状態を示す図。
【図６】本発明の実施形態に係るコネクタと保持部材とを嵌合した状態を示す図。
【図７】本発明の他の実施形態に係るコネクタと保持部材を分解した図。
【図８】本発明の他の実施形態に係るコネクタと保持部材とを嵌合した図。
【符号の説明】
【００３１】
１…電子機器、２…本体ユニット、３…ディスプレイユニット、５…キーボード、６…ベース、７…トップカバー、１３…プリント回路板、１４…開口部、２０…コネクタ、２１…ケース、２２…本体、２３…開口部、２４…端子、２５…ＬＥＤユニット、２６…ＬＥＤ、２７…保持部材、２８…ソケット、２９…ピン
【図１】
0004987630.tif 000002
【図２】
0004987630.tif 000003
【図３】
0004987630.tif 000004
【図４】
0004987630.tif 000005
【図５】
0004987630.tif 000006
【図６】
0004987630.tif 000007
【図７】
0004987630.tif 000008
【図８】
0004987630.tif 000009